(57)【要約】【課題】  身体障害者や体力の衰えた老人などが椅子に着席・起立をすることは困難を伴い、ヘルパーなどの介助を必要とすることが多い。自分の力で容易に着席・起立ができる構造の椅子について、新しい視点から発想をした。【解決手段】  着席する人が体を沈めて椅子の着座部に座るのではなく、着座部２があらかじめ直立した体の近くにある形態の椅子とすることで着席・起立の動作が容易になるように構成している。【選択図】図１
2014226528.tif 000002
【特許請求の範囲】
【請求項１】
前端を丁番によって椅子本体に回動自在に取り付けられ、後部はさきの丁番を中心にして上下方向に移動できる着座部は、下方から上方に押し上げようとする一定の力を常時加えて約４５度〜６０度の傾斜状態にあるように構成されていて、これに人が着席するときに着座部は沈降して最下部においてほぼ水平の使用状態になって定着し、人が起立するときは着座部にかかる体重の軽減に応じて下方からの押し上げ力によって、再び約４５度〜６０度の傾斜位置に復元する着座部を備えることを特徴とする椅子。
【発明の詳細な説明】
【技術分野】
【０００１】  本発明は、不使用時に着座部が約４５度〜６０度に傾斜した状態で最上部にあり、人が着席するときは体重が着座部を押し上げる力に勝って着座部を押し下げ、最下部においてほぼ水平の使用状態で停止し、人が起立するときは着座部を押し上げる力が起立動作を補助しながら上昇し、最上部において約４５度〜６０度の傾斜になって停止する着座部を備えることを特徴とする椅子に関する。
【背景技術】
【０００２】  椅子の着座部の高さは、作業用にあっては大腿部がほぼ水平になり、安楽用にあっては膝がやや高くなる状態であるが、いずれの場合も直立した人が着座する場合には腰をかがめて膝を曲げ、大腿部の筋肉に負荷をかけながら臀部を着座部の高さまで下ろさなければならず、着座する人が起立する場合には、上半身をやや前屈して全体重を膝にかけ、大腿筋を伸張させて臀部を着座部より上昇させて直立するに至る。【０００３】  以上のように着座部を固定した椅子においては、着席および起立の動作は身体的に、特に膝、腰及び大腿部に負担をかけるものである。
【先行技術文献】
【特許文献１】  特開２００９−２１９７０２
【０００４】  特許文献１のごとく、着座した人に対して着座部や背もたれの角度を調整するものがあるが、着座部があらかじめ着席者の姿勢に合わせて事前に待機するものではなく、角度の調整も電動モータを使用したものである。
【特許文献２】  登録実用第３０７９４１８号
【０００５】  特許文献２のごとく、着座した人が起立する動作を補助するために電動モータを使用したリクライニングシートがある。
【発明の概要】
【発明が解決しようとする課題】
【０００６】  着席・起立の動作を補助するための肘掛け（アームサポート）や、着席動作や着座安定のために背もたれ（バックサポート）は有効な要素であるが、特に身体障害者や筋力の衰えた高齢者などがヘルパーなどの介助労力を最小にするべく、着席や起立を自力によってより容易に、かつ電動モータなどの動力使用や機器の操作をしなくてよい機能を備えた椅子が必要である。
【課題を解決するための手段】
【０００７】  上述の如き課題を解決するために、本発明は着座する人が空中において腰を曲げて臀部を着座部まで下ろすのではなく、着座せんとする人の臀部近くに着座部が待機しており、これに身体を預けるように体重をかければ安定して定位置に着座できるもので、起立するときは上体を僅かに前方に傾けて着座部に加わる体重を軽減することにより、着座部が臀部を下方から持ち上げて直立する動作を可能にするものである。
【発明の効果】
【０００８】  身体障害者や病中病後の体力がない人、筋力の衰えた高齢者などが、ことさらヘルパーの介助を待つことなく、自力において椅子に着席・起立ができることは行動の自由度がまし、身体機能や健康の向上に資することが期待され、さらにヘルパーたちの労力も開放され、より有効な作業に充当されるであろう。
【発明を実施するための形態】
【０００９】  以下、図面を用いて本発明を実施する形態について説明する。
【実施例１】
【００１０】  図１は本発明の１実施例を示したものであり、椅子本体１の前部に丁番３によって回動自在に取り付けられた着座部２はガススプリング５によって常時押し上げられており、ガススプリング５の上端部はスライダ８に回動自在にピボット７で連結され、スライダ８はガイドレール９に沿ってノブ１１によって回転される送りネジ１０によって任意の位置が与えられ、ガススプリング５の下端は椅子本体１にピボット６を介して固定され、着座部２にかかる負荷を負担する。いま着座部２に上方より荷重されるときガススプリング５が圧縮されて、着座部２の自由端は椅子本体１に突き当たって停止する。着座部２にかかる荷重を取り除くときガススプリング５の反発力によって着座部２は上昇し、ガススプリング５が最長に伸長した位置において停止する。図１に示す実施例においてガススプリング５を使用した理由は、荷重をうけるガススプリング５はストローク全体にほぼ一定の反発力が得られ、荷重による伸縮には制動の働いた動きが得られるので、着座部２の動きが一定の速度でなめらかとなる利点があるからである。【００１１】  着座部２に座る人の体重に応じて適切な支持力を得るにはガススプリング５を支持するピボット７の位置を調節するが、ノブ１１を回して送りネジ１０によってスライダ８を着座部２の丁番３による固定端に近づけてピボット７を移動すると、着座部２にかかる荷重が小さくてもガススプリング５が圧縮され、反対にスライダ８を着座部２の自由端側に移動してピボット７の位置を着座部２の固定端より遠ざけるほど、ガススプリング５を圧縮する着座部２の荷重はより大きく必要となるから、着席する人の体重に適した反発力を得ることができる。【００１２】着席する人の脚の長さによって着座部２と床４の距離を適切に調整するために、図１に示す実施例においては高さ調節可能な脚部１４を持つ構造とした。アームサポート（肘掛）１２、バックサポート（背もたれ）１３は本発明による椅子を構成するにおいて不可欠な要素ではないが、着座や起立などの動作が安定して容易にでき、転倒の危険を防止するためには有効な要素である。【００１３】  図２、図３に本発明の実施状態の概念図をしめす。図２においていま着席しようとする人物１９が着座部２を背面において立つとき、臀部と着座部２との間隔がわずかであるからこれに接触することは容易であり、そのまま体重を着座部２にかければ着座部２は上半身をのせたまま降下して最下部において停止し図３の状態になり、起立するときは上体をわずかに前方に倒して着座部２にかかる体重を軽減することによって、着座部２の上昇力によって臀部が持ち上げられ、ほとんど体力を使うことなく図２の状態に直立することができる。
【発明を実施する異なる形態】
【実施例２】
【００１４】  図４に、実施例１におけるガススプリング５に代わってコイルばね１５を使用した例をしめす。
【実施例３】
【００１５】  図５に、実施例１におけるガススプリング５に代わってねじりコイルばね１６を使用した例を示す。
【実施例４】
【００１６】  図６に、実施例１におけるガススプリング５に代わって板ばね１７を使用した例を示す。
【実施例５】
【００１７】  図７は、実施例１における椅子本体１と着座部２を連結する丁番３のあいだに部材１８を取り付けることによって、着座部２が傾斜状態にあるとき椅子本体１より前方に位置することになり、着席する人物により近く待機した状態となり、着席や起立の動作がより容易になることを示したものである。
【図面の簡単な説明】
【００１８】
【図１】  本発明の一実施例の全体側面図
【図２】  および
【図３】  本発明を使用する状態の概念図
【図４】  本発明の実施例２の部分側面図
【図５】  本発明の実施例３の部分側面図。
【図６】  本発明の実施例４の部分側面図。
【図７】  本発明の実施例５においてより一層使い勝手をよくする構造を示した部分側面図。
【産業上の利用可能性】
【００１９】  本発明に係る椅子は障害者や老人のみでなく、頻繁に着席・起立を繰り返す作業者の動作を容易にし、病院や老人ホームのみならず一般家庭においても便利な家具の一つとなりうるもので、家具メーカー、事務機メーカーなどにとって有力な商品となるでああろう。
【符号の説明】
【００２０】      １：  椅子本体                    ２：  着座部
３：  丁番                        ４：  床
５：  ガススプリング              ６：  ピボット
７：  ピボット                    ８：  スライダ
９：  ガイドレール              １０：  送りネジ
１１：  ノブ                      １２：  アームサポート
１３：  バックサポート            １４：  脚部
１５：  コイルばね                １６：  ねじりコイルばね
１７：  板バネ                    １８：  部材
１９：  人物
【図１】
2014226528.tif 000003
【図２】
2014226528.tif 000004
【図３】
2014226528.tif 000005
【図４】
2014226528.tif 000006
【図５】
2014226528.tif 000007
【図６】
2014226528.tif 000008
【図７】
2014226528.tif 000009